(57)【特許請求の範囲】
【請求項１】
複数の写真画像コマを含む写真画像ソースから写真画像データを取得するステップと、
取得された前記写真画像データのうち、ステレオ写真用の左眼用画像である左眼用画像データとステレオ写真用の右眼用画像である右眼用画像データとを示す情報と、当該左眼用画像データと右眼用画像データとの撮影方向を示す情報とを含むステレオ写真指示情報を取得するステップと、
前記ステレオ写真指示情報に基づいて、取得された前記写真画像データから前記左眼用画像データと前記右眼用画像データとを選択するステップと、
少なくとも、前記ステレオ写真指示情報に基づいて前記撮影方向が縦である前記左眼用画像データと右眼用画像データとを９０度回転させる幾何学的な画像処理を施すステップと、
幾何学的な画像処理を施された前記左眼用画像データと前記右眼用画像データを合成してステレオ写真画像データを生成するステップと、
前記ステレオ写真画像データに基づいてステレオ写真プリントを作製するステップと、
から構成されるステレオ写真のプリント方法。
【請求項２】
複数の写真画像コマを含む写真画像ソースから写真画像データを取得する画像入力部と、
取得された前記写真画像データのうち、ステレオ写真用の左眼用画像である左眼用画像データとステレオ写真用の右眼用画像である右眼用画像データとを示す情報と、当該左眼用画像データと右眼用画像データとの撮影方向を示す情報とを含むステレオ写真指示情報を取得する指示情報入力部と、
前記ステレオ写真指示情報に基づいて、取得された前記写真画像データから前記左眼用画像データと前記右眼用画像データとを選択するステレオ写真用コマ選択部と、
少なくとも、前記ステレオ写真指示情報に基づいて前記撮影方向が縦である前記左眼用画像データと右眼用画像データとを９０度回転させる幾何学的な画像処理を施す幾何学的画像処理部と、
前記幾何学的な画像処理を施された前記左眼用画像データと前記右眼用画像データを合成してステレオ写真画像データを生成する画像合成処理部と、
前記ステレオ写真画像データに基づいてステレオ写真プリントを作製するプリント部と、
を備えたステレオ写真プリント装置。
【請求項３】
前記ステレオ写真指示情報は、前記写真画像ソースの情報記録エリアから読み取られる請求項２に記載のステレオ写真プリント装置。
【請求項４】
前記ステレオ写真指示情報は、ステレオ写真注文票から機械的に読み取られる請求項２に記載のステレオ写真プリント装置。
【請求項５】
前記ステレオ写真指示情報に基づいてトリミングが幾何学的な画像処理として行われる請求項３又は４に記載のステレオ写真プリント装置。
【請求項６】
前記画像合成処理部は、前記左眼用画像と前記右眼用画像をそれぞれの中心の間隔が約６４mmとなるように横並び均等配置で合成処理するとともに、その各中心の上側又は下側あるいはその両方の縁部領域にステレオ写真観察用マーカを付与する請求項２〜５のいずれかに記載のステレオ写真プリント装置。
【発明の詳細な説明】
【０００１】
【発明の属する技術分野】
本発明は、同一の被写体について左右方向で視差をもった２つの写真画像を横並びに配置したステレオ写真プリントを作製する技術に関する。
【０００２】
【従来の技術】
従来からステレオ写真を撮影する種々の方法が知られている。2台のカメラを光軸の間隔が左眼と右眼の瞳孔間距離の平均値である約６４mmになるように左右に並べて同時に撮影する２台のカメラを使用する方法、被写体が動かないものに限定されるがスライダにカメラを取り付けて１度目の撮影後にカメラを横に６４mmスライドさせて２度目の撮影を行うスライダ装着カメラを使用する方法、普通の１眼レフカメラに装着することでフィルムコマ上に左眼用画像と右眼用画像を同時に写し込むように作られたステレオ写真用アダプタを使用する方法、左眼用画像と右眼用画像が同時に撮影できる２眼レンズ型の特殊カメラである専用ステレオ写真カメラを使用する方法などで挙げられれる。
さらに、特開2000-56413号公報には、磁気記録層を有するIX240フィルムを利用して、通常の撮影コマの半分の幅をもつステレオ写真用画像コマを設定し、左眼用画像と右眼用画像を所定コマ分だけ離れた位置に同時に写し込み、そのステレオ写真指示情報を磁気記録層に書き込む専用ステレオ写真カメラが開示されている。
【０００３】
【発明が解決しようとする課題】
上述した種々の方法でステレオ写真を撮影することが可能であるが、使用した方法によって、フィルムに形成される左眼用画像と右眼用画像の位置や大きさが異なる。例えば、2台のカメラを利用する方法では２つの写真フィルムのそれぞれに普通の画像コマサイズで左眼用画像と右眼用画像が形成されるし、スライダに装着された１台のカメラを使用する方法では同じ写真フィルムの連続した普通サイズの画像コマに左眼用画像と右眼用画像が形成される。また、前述したような専用ステレオ写真カメラの場合、普通の画像コマサイズに左眼用画像と右眼用画像が形成されたり、１／２画像コマサイズで飛び離れた画像コマ位置に左眼用画像と右眼用画像が形成されたりする。
【０００４】
このように、ステレオ写真撮影方法によって写真フィルムへの左眼用画像と右眼用画像の形成の仕方が異なるため、実際にステレオ写真を観察するには、この写真フィルムから画像コマ単位でステレオ写真画像を焼き付けられたプリントを適当にカットして所定の間隔（一般には約６４mm）で横並び配置して台紙に糊付けするなどの面倒で手間のかかる作業が必要であった。
上記実状に鑑み、本発明の課題は、撮影方法によって左眼用画像と右眼用画像の位置や大きさが種々の形態で形成されている写真画像ソースからであっても直接ステレオ写真として観察できるステレオ写真プリントを直接的に出力することができるステレオ写真作製技術を提供することである。
【０００５】
【課題を解決するための手段】
上記課題を解決するため、本発明によるステレオ写真のプリント方法は、複数の写真画像コマを含む写真画像ソースから写真画像データを取得するステップと、取得された前記写真画像データのうち、ステレオ写真用の左眼用画像である左眼用画像データとステレオ写真用の右眼用画像である右眼用画像データとを示す情報と、当該左眼用画像データと右眼用画像データとの撮影方向を示す情報とを含むステレオ写真指示情報を取得するステップと、前記ステレオ写真指示情報に基づいて、取得された前記写真画像データから前記左眼用画像データと前記右眼用画像データとを選択するステップと、少なくとも、前記ステレオ写真指示情報に基づいて前記撮影方向が縦である前記左眼用画像データと右眼用画像データとを９０度回転させる幾何学的な画像処理を施すステップと、幾何学的な画像処理を施された前記左眼用画像データと前記右眼用画像データを合成してステレオ写真画像データを生成するステップと、前記ステレオ写真画像データに基づいてステレオ写真プリントを作製するステップとから構成される。
【０００６】
さらに、上記課題を解決するため、本発明によるステレオ写真プリント装置は、複数の写真画像コマを含む写真画像ソースから写真画像データを取得する画像入力部と、
取得された前記写真画像データのうち、ステレオ写真用の左眼用画像である左眼用画像データとステレオ写真用の右眼用画像である右眼用画像データとを示す情報と、当該左眼用画像データと右眼用画像データとの撮影方向を示す情報とを含むステレオ写真指示情報を取得する指示情報入力部と、前記ステレオ写真指示情報に基づいて、取得された前記写真画像データから前記左眼用画像データと前記右眼用画像データとを選択するステレオ写真用コマ選択部と、少なくとも、前記ステレオ写真指示情報に基づいて前記撮影方向が縦である前記左眼用画像データと右眼用画像データとを９０度回転させる幾何学的な画像処理を施す幾何学的画像処理部と、前記幾何学的な画像処理を施された前記左眼用画像データと前記右眼用画像データを合成してステレオ写真画像データを生成する画像合成処理部と、前記ステレオ写真画像データに基づいてステレオ写真プリントを作製するプリント部とから構成される。
【０００７】
この方法や装置では、選択されたステレオ写真用の左眼用画像と右眼用画像の写真画像データに対して幾何学的な形状をステレオ写真に適したものとする画像処理を施した後、この左眼用画像と右眼用画像の写真画像データを合成して1枚のステレオ写真プリントを作製するためのステレオ画像データが生成される。従って、写真画像ソースにおいてステレオ写真用の左眼用画像と右眼用画像の写真画像のコマ位置さえ指摘すれば、写真画像ソースの種別にかかわらず、またステレオ写真撮影に利用された機材にかかわらず、1枚のステレオ写真プリントが出力されるので、従来のように、別々に出力された左眼用写真プリントと右眼用写真プリントをあとから形状を整えてステレオ写真として適切な位置関係で台紙に貼り合わせるように作業は生じない。
【０００８】
取得された写真画像データからステレオ写真用の左眼用画像と右眼用画像の写真画像データを選択する作業を簡単化するために、本発明の好適な実施形態の１つでは、前記写真画像ソースの情報記録エリアから読み取られたステレオ写真指示情報に基づいて前記ステレオ写真用コマ選択部がステレオ写真用コマを選択する。このステレオ写真指示情報とは、例えば、１つのステレオ写真画像を構成する左眼用画像コマと右眼用画像コマのそれぞれに対応するコマ番号もしくはコマ位置である。情報記録エリアとしてIX240（APS)フィルムの磁気記録層を利用している場合は、撮影画像のスキャナ入力時ないしはその前後に磁気ヘッドによる磁気記録層のスキャンによって読み取ることができるし、情報記録エリアとしてデジタルカメラの記録メディア（コンパクトフラッシュやスマートメディアなど）の所定エリアを利用している場合は、記録メディアの読み取り時に、撮影画像の属性データとして取り扱うことができる。なお、情報記録エリアへのステレオ写真指示情報の書き込みは、撮影時に自動的に行われても良いし、撮影者自らによって行われることも可能である。また、ＤＰショップなどの写真プリント受付ステーションでの受付時に書き込むようにしてもよい。
【０００９】
上述したような写真画像ソースの情報記録エリアへのステレオ写真指示情報の書き込みが不可能な場合であっても、取得された写真画像データからステレオ写真用の左眼用画像と右眼用画像の写真画像データを選択する作業を簡単化するために、本発明の別な好適実施形態の１つとして、ステレオ写真注文票から機械的に読み取られたステレオ写真指示情報に基づいて前記ステレオ写真用コマ選択部がステレオ写真用コマを選択するものがある。この場合、写真プリント受付ステーションでの写真プリント受付時に書き込まれる注文票にステレオ写真注文の欄を設けておくか、あるいは専用のステレオ写真注文票を用意しておき、ステレオ写真プリント用の左眼用画像と右眼用画像のコマ位置を記入する。その際、通常の写真プリント注文で広く用いられているマークシート方式やバーコード方式を採用すると好都合である。
【００１０】
ステレオ写真を作製するにあたって、左眼用画像と右眼用画像の中心間隔が所定置（通常約６４mm）にする必要があるので、一般的な写真プリントのサイズで出力する場合、撮影画像コマに形成された左眼用・右眼用画像に適当なトリミングを施す必要がある。このため、これらの情報はステレオ写真指示情報に含まれると好都合であり、本発明においても、好適な実施形態として、前記ステレオ写真指示情報に基づいてトリミングが幾何学的な画像処理として行われるものも提案されている。これにより、顧客のイメージどおりのステレオ写真プリントを作製することができる。
【００１１】
また、作製されたステレオ写真プリントの観察を容易にするため、前記画像合成処理部が、前記左眼用画像と前記右眼用画像をそれぞれの中心の間隔が約６４mmとなるように横並び均等配置で合成処理するとともに、その各中心の上側又は下側あるいはその両方の縁部領域にステレオ写真観察用マーカを付与するような構成も好都合である。
本発明によるその他の特徴及び利点は、以下図面を用いた実施形態の説明により明らかになるだろう。
【００１２】
【発明の実施の形態】
図１には、本発明によるステレオ写真プリント装置の１つの実施形態が示されている。このステレオ写真プリント装置は、ここでは汎用銀塩フィルムカメラ３ａやステレオ写真専用銀塩フィルム３ｃカメラによって被写体を撮影した35mmフィルム１ａやIX240フィルム（磁気記録層を有する）１ｂ、あるいはデジタルカメラ３ｂによって被写体を撮影したスマートメディアやコンパクトフラッシュなどのデジタル記録メディア１ｃである写真画像ソース１から取得した写真画像データのうち、ステレオ写真用の画像データを選択して、ステレオ写真プリント４を出力する装置である。このステレオ写真プリント４には、左眼用画像領域４ａと、右眼用画像領域４ｂと、この左眼用画像領域４ａに形成される左眼用画像とこの右眼用画像領域４ｂに形成される右眼用画像のそれぞれの中心の上側と下側の縁部領域にステレオ写真観察用マーカ４ｃが配置されている。ステレオ写真観察用マーカ４ｃはなくてもよいし、上側又は下側にどちらかにのみ配置されていても良い。なお、左眼用画像と右眼用画像の各中心の間隔が約６４mmとなっているが、特別なステレオ写真用ビュワーで観察する目的でのプリントの場合、それ以外の適当な間隔にされることになる。
【００１３】
このステレオ写真プリント装置はデジタルミニラボとも称せられるものであり、もちろん通常の写真プリントの出力も可能であるので、以下単に写真プリント装置と呼ぶことにするが、（ステレオ）写真プリント４として銀塩感光材料、つまり印画紙２を用いており、この印画紙２に対して露光処理と現像処理とを行うプリントステーション３０と、このプリントステーション３０に対して必要なプリントデータの生成や転送を行う操作ステーション２０とに分割構成されている。また操作ステーション２０は、前述した写真画像ソース１から写真画像データを取得する機能や、後述するステレオ写真支持情報の入力機能も備えている。
【００１４】
操作ステーション２０には、写真画像ソース１から写真画像データを取得する画像入力部２０Ａとして写真フィルム（35mmフィルム１ａ、IX240フィルム１ｂ）のコマ画像を読み取るフィルムスキャナ２１やスマートメディア・コンパクトフラッシュなどのデジタル記録メディア１ｃからデータを読み取るメディアリーダ２２と、ステレオ写真指示情報入力部２０Ｂとして手動又は自動でステレオ写真指示情報を入力するキーボード２３や磁気リーダ２４が備えられている。
【００１５】
操作ステーション２０は操作テーブルを設けたデスク状コンソールとして構成されており、その上部位置にフィルムスキャナ２１と、各種情報を表示する表示部としてＣＲＴディスプレイ４０と、キーボード２３が備えられている。
【００１６】
また、この操作テーブルの下方に、取得された写真画像データの処理やプリントステーション３０の制御を行うコントローラ５０として機能する汎用コンピュータが備えられており、この汎用コンピュータにメディアリーダ２２が内蔵されている。
【００１７】
フィルムスキャナ２１は、ハロゲンランプを内蔵した光源からの光線が送られる部位にフィルムキャリア２５を備え、このフィルムキャリア２５に搬送される写真フィルム１ａ、１ｂを透過した光線を受ける位置に光学レンズを介して画像情報が導かれる位置に画像情報を光電変換するＣＣＤ型のセンサユニット（図示せず）を備えて構成されている。そして、現像済みの写真フィルム１ａ、１ｂから写真画像を取込む際には、フィルムキャリア２５に写真フィルム１ａ、１ｂをセットして長手方向（副走査方向）に搬送し、この搬送速度と同期してセンサユニットでコマ画像の情報を幅方向（主走査方向）に沿って１ラインずつＲ（赤）、Ｇ（緑）、Ｂ（青）に色分解した情報を光電変換して取込み、Ｒ（赤）、Ｇ（緑）、Ｂ（青）夫々の輝度データからなる写真画像データがコントローラ５０に転送される。
【００１８】
このフィルムキャリア２５には磁気リーダ２４が設けられており、搬送中のIX240フィルム１ｂの磁気記録層から撮影に関する属性情報が記録されておれば、例えばステレオ写真用左眼画像や右眼画像を指示するステレオ写真指示情報などが読み取られ、コントローラ５０に転送される。
【００１９】
図２に模式的に示されているように、プリントステーション３０は、コントローラ５０から送られてきたプリントデータに基づいてプリントサイズに合わせてペーパーカッタ３１によってカットされた印画紙２に画像を露光するプリント部としてのデジタル光プリントヘッド３２と、露光された印画紙２を現像処理する現像処理部３３と、印画紙２をペーパーマガジン３４から露光エリア及び現像処理部３３を経て横送りコンベヤ３５へ搬送する印画紙搬送機構３６と、横送りコンベヤ３５から送り込まれる印画紙２を写真プリント４としてオーダ単位で区分けするソータ３７とを備えている。
【００２０】
プリントヘッド３２は、コントローラ５０から送られてくるプリントデータに基づいて印画紙２を送りながらＲ（赤）、Ｇ（緑）、Ｂ（青）の３原色の光線の露光を行うものであり、露光時には印画紙２を副走査方向に搬送しながら、この搬送速度と同期して主走査方向に沿ったライン状に露光を行うよう構成されている。なお、プリントヘッド３２の駆動方式としては、ＤＭＤ（デジタルマイクロミラーデバイス）方式、液晶シャッター方式、ＰＬＺＴシャッター方式、ＦＯＣＲＴ方式、蛍光体発光方式、レーザビーム方式などが知られており、要求される露光仕様に応じて選択される。
【００２１】
コントローラ５０は、ＣＰＵ、ＲＯＭ、ＲＡＭ、Ｉ／Ｏインタフェース回路などからなるマイクロコンピュータシステムを中核部材として構成され、このデジタルミニラボに必要な各種機能をハードウエア又はソフトウエア或いはその両方で実現させている。このコントローラ５０には、種々の機能が構築されているが、ここでは特に本発明に関連する、ステレオ写真プリント４の作製に関する主な機能要素だけを説明するが、そのようなものとしては、図３に示すように、フィルムスキャナ２１やメディアリーダ２２などの画像入力部２０Ａを制御する入力機器制御部５１、画像入力部２０Ａによって取得された写真画像データに対して基本的な画像処理を行うデータ前処理部５２、ワーキングメモリ５４にロードされた撮影画像データに対してステレオ写真画像データとして必要な画像処理を行う画像処理部５３、画像処理された最終的な撮影画像データに基づいてプリントデータを生成しプリントヘッド３２を制御するプリント制御部５５、画像データのイメージ及びその他の表示アイテムのイメージをビデオメモリーに取り込むとともにこの表示イメージをビデオコントローラによってビデオ信号に変換してモニタ４０に送るビデオ制御部５６、ステレオ写真用テンプレートを格納しているテンプレート格納部５７ａから適当なステレオ写真用テンプレートを抽出するテンプレート管理部５７、画像入力部２０Ａによって取得された写真画像データのうち、指示情報入力部２０Ｂから入力されたステレオ写真指示情報に基づいてステレオ写真用コマ、つまり対となった左眼用画像データと右眼用画像データを選択してワーキングメモリ５４にロードさせるステレオ写真用コマ選択部５８などが挙げられる。
【００２２】
画像処理部５３には、ワーキングメモリ５４にロードされた左眼用・右眼用画像データに対してトリミングや回転あるいは縮小・拡大などの幾何学的な画像処理を施す幾何学的画像処理部５３ａと、必要に応じて幾何学的画像処理部５３ａで画像処理された左眼用画像データと右眼用画像データを合成してステレオ写真画像データを生成する画像合成処理部５３ｂを備えている。
【００２３】
図４には、顧客からの依頼に基づいて作成されたステレオ写真プリント注文票７０の例が示されている。この注文票７０には、フィルム種別を選択するフィルム種別欄７１、プリントサイズを選択するプリントサイズ欄７２、ステレオ写真のための左眼用画像と右眼用画像のコマ位置を指定するステレオ写真コマ指定欄７３などが設けられている。
【００２４】
図４（イ）に示すものは、IX240フィルム（APSフィルム)１ｂに撮影されたステレオ写真のステレオ写真プリントを依頼した際に必要事項を記入された注文票７０の一例であり、フィルム種別欄７１ではAPSフィルムがチェックされ、プリントサイズ欄７２ではＬサイズがチェックされている。このケースでは、APSフィルム１ｂの磁気記録層に左眼用画像と右眼用画像のコマを指定するデータが書き込まれているので、ステレオ写真コマ指定欄７３では、磁気記録済みがチェックされ、ステレオ写真プリント用画像コマ番号の記入は省略されている。このような磁気記録は撮影時にカメラによって行われてもよいし、ＤＰ店での注文受付時に専用の磁気ライタを利用して行うことも可能である。この磁気記録されたデータは、フィルムスキャナ２１による画像スキャン時に、磁気リーダ２４によって読み取られ、ステレオ写真指示情報としてコントローラ５０に転送される。
【００２５】
デジタルカメラなどを利用した場合は、ステレオ写真用画像データにリンクさせた形でその撮影属性データとして左眼用画像や右眼用画像であることを認識させる情報を記録することが可能であり、そのケースでは、ステレオ写真コマ指定欄７３の属性データ記録済みがチェックされることになる。そして、メディアリーダ２２による写真画像データのコントローラ５０への取り込み時に同時にステレオ写真指示情報として取り込まれる。
【００２６】
図４（ロ）に示すものは、35mmフィルム１ａに撮影されたステレオ写真のステレオ写真プリントを依頼した際に必要事項を記入された注文票７０の一例であり、フィルム種別欄７１では35mmフィルムがチェックされ、プリントサイズ欄７２ではＬサイズがチェックされている。このケースでは、第１のステレオ写真のための左眼用・右眼用画像コマがそれぞれコマ番号「２」と「３」に形成されているとともに、第２のステレオ写真のための左眼用・右眼用画像コマがそれぞれコマ番号「６」と「７」に形成されているので、それらのコマ番号がステレオ写真コマ指定欄７３に記入されている。さらに、各画像コマが横向きの画像であるか縦向きの画像であるかもチェックされる。ここでは、第１のステレオ写真の画像コマは横向きで、第２のステレオ写真の画像コマは縦向きとなっている。これらのステレオ写真プリントの作成に必要な情報は、この注文票７０を見ながらオペレータがキーボード２３を通じてステレオ写真指示情報としてコントローラ５０に入力される。
【００２７】
次に、図４（ロ）で示されたステレオ写真プリント注文票を用いて注文されたステレオ写真プリントが上述した写真プリント装置において出力されるまでの流れを図５を用いて説明する。
まず、写真画像ソース１としての35mmフィルム１ａが画像入力部２０Ａとしてのフィルムスキャナ２１によってスキャンされ、写真画像コマのデータがコントローラ５０に転送され、データ前処理部５２によって所定の色補正等の基本的な画像処理を受ける。ここで、通常の、つまりステレオ写真ではない写真画像データは、通常の写真プリントのための処理を受ける。（＃１）
また、オペレータはステレオ写真注文票７０を見ながら指示情報入力部２０Ｂとしてのキーボード２３を用いてステレオ写真用の左眼用・右眼用画像のコマ番号や画像の向きなどを入力する。ここで入力されたステレオ写真指示情報はステレオ写真コマ選択部５８に利用される。（＃２）
【００２８】
データ前処理部５２によって前処理された写真画像データは、ステレオ写真コマ選択部５８によって、各ステレオ写真単位で、左眼用画像データと右眼用画像データに区分けされる。（＃３）
区分けされた各画像データに対して、画像の向きが横向きとなっているもの（カメラを縦に構えて撮影されたものなど）に対しては９０度の画像回転、プリントサイズに応じて必要となるトリミングや画像縮小・拡大などの画像処理が、幾何学的画像処理部５３ａによって行われる。（＃４）
適切な幾何学的画像処理がなされた左眼用画像データと右眼用画像データは、ステレオ写真用テンプレート管理部５７によってテンプレート格納部５７ａから抽出されワーキングメモリ５４にロードされた適正なテンプレートのそれぞれの領域に流し込まれることで合成され、ステレオ写真画像データが作り出される。このテンプレートには予めステレオ写真観察用マーカ４ｃのための画像データも含まれている。このような合成処理は画像合成処理部５３ｂによって行われる。
（＃５）
【００２９】
画像合成処理部５３ｂによって生成されたステレオ写真画像データは、プリント制御部５５によってプリントデータに変換される。このプリントデータがプリントステーション３０のプリントヘッド３２に送られることにより、プリントヘッド３２が駆動され、印画紙２を露光し、最終的にステレオ写真プリント４として出力される。もし、写真画像ソース１から取り込まれた写真画像データに通常の写真プリント目的の写真画像データも含まれている場合は、同時に出力される。
（＃６）
上述した実施の形態では、ステレオ写真プリント４として印画紙２を用いていたが、プリントヘッド３２が、例えばインクジェット方式なら、印画紙２の代わりに普通紙やインクジェット専用紙などが用いられる。本発明によるステレオ写真プリント方法及び装置は、プリント方式を限定しているわけではない。
【図面の簡単な説明】
【図１】本発明によるステレオ写真プリント装置の一例を示す全体構成図
【図２】図１によるステレオ写真プリント装置のブロック図
【図３】コントローラの主な機能を説明する機能ブロック図
【図４】ステレオ写真プリントの注文票の一例を示す模式図
【図５】ステレオ写真プリントの作製工程を示す工程流れ図
【符号の説明】
１    写真画像ソース
１ａ  35mmフィルム
１ｂ  IX240フィルム
１ｃ  デジタル記録メディア
２    印画紙
３    撮影装置
４    ステレオ写真プリント
４ｃ  ステレオ写真観察用マーカ
２０    操作ステーション
２０Ａ  画像入力部
２０Ｂ  指示情報入力部
２１    フィルムスキャナ
２２    メディアリーダ
２３    キーボード
２４    磁気リーダ
３０    プリントステーション
３２    プリントヘッド（プリント部）
４０    ＣＲＴモニタ
５０    コントローラ
５３    画像処理部
５３ａ  幾何学的画像処理部
５３ｂ  画像合成処理部
５５    プリント制御部
５７ａ  テンプレート格納部
５７    テンプレート管理部
５８    ステレオ写真用コマ選択部
７０    ステレオ写真プリント注文票
【図１】
0004655179.tif 000002
【図２】
0004655179.tif 000003
【図３】
0004655179.tif 000004
【図４】
0004655179.tif 000005
【図５】
0004655179.tif 000006